(57)【要約】【課題】煩雑な作業を不要とし、不正アクセスを回避し、かつ製造コストの低減を図り得る遠隔操作システム、測定システムおよび遠隔操作システム用プログラムを提供する。【解決手段】遠隔操作システム３は、中継器３ｂがインターネットを介して中継サーバ３ａからの送信データを常時受信可能とする第１通信路を確立する第１処理を実行し、中継サーバ３ａが、測定器１と操作端末２との間のエンドツーエンド通信を行うための第２通信路の確立を第１通信路を介して中継器３ｂに指示する第２処理を実行することによって操作端末２による測定器１のインターネットを介しての遠隔操作を可能とする。【選択図】図１
2019062495.tif 000002
【特許請求の範囲】
【請求項１】
外部装置からの制御データに応じて予め規定された処理を実行して当該予め規定された処理に関連する応答データを当該外部装置に出力可能な電子機器を、インターネットに接続された任意のリソースにアクセス可能な当該外部装置としての操作端末によって当該インターネットを介して遠隔操作可能とする遠隔操作システムであって、
前記インターネットに接続された第１処理装置と、
前記電子機器にローカル接続されると共に前記インターネットを介して前記第１処理装置にアクセス可能に設置された第２処理装置とを備え、
前記第２処理装置が、前記インターネットを介して前記第１処理装置からの送信データを常時受信可能とする第１通信路を確立する第１処理を実行し、
前記第１処理装置が、前記電子機器と前記操作端末との間のエンドツーエンド通信を行うための第２通信路の確立を前記第１通信路を介して前記第２処理装置に指示する第２処理を実行することによって当該操作端末による当該電子機器の前記インターネットを介しての遠隔操作を可能とする遠隔操作システム。
【請求項２】
前記第１処理装置が、前記インターネットを介して当該第１処理装置にアクセスされた前記操作端末から当該操作端末による前記電子機器の遠隔操作の開始を指示されたときに前記第２処理を実行し、
前記第２処理装置が、前記第１処理装置からの前記第２処理による指示に従い、当該第２処理装置を介しての前記電子機器および当該第１処理装置の間の双方向通信が可能な第２通信路を確立する第３処理を実行し、
前記第１処理装置が、前記第３処理によって確立された前記第２通信路を介しての前記電子機器へのアクセスが可能なアドレスデータを生成して当該アドレスデータを前記操作端末に前記インターネットを介して送信する第４処理を実行して当該電子機器および当該操作端末の間における前記エンドツーエンド通信を許容し、
前記操作端末が前記アドレスデータのアドレスにアクセスして送信した前記制御データを前記第１処理装置および前記第２処理装置が前記電子機器に中継すると共に、当該電子機器が送信した前記応答データを当該第１処理装置および当該第２処理装置が前記操作端末に中継することによって当該操作端末によって当該電子機器を遠隔操作させる請求項１記載の遠隔操作システム。
【請求項３】
前記第２処理装置は、前記第３処理において、暗号化通信が可能な前記第２通信路を確立する請求項２記載の遠隔操作システム。
【請求項４】
前記第１処理装置は、前記インターネットを介しての前記操作端末との間の通信時に暗号化通信を実行する請求項１から３のいずれかに記載の遠隔操作システム。
【請求項５】
前記第１処理装置は、前記電子機器の遠隔操作を行っている前記操作端末から遠隔操作の終了を指示する前記制御データが送信されたときに前記第２通信路の閉鎖を前記第２処理装置に対して前記第１通信路を介して指示する第５処理を実行し、
前記第２処理装置は、前記第１処理装置からの指示に従って前記第２通信路を閉鎖する第６処理を実行する請求項１から４のいずれかに記載の遠隔操作システム。
【請求項６】
前記第１処理装置は、前記インターネットを介して当該第１処理装置に前記操作端末がアクセスしたときに認証処理を実行し、前記電子機器へのアクセスを許容可能であると判別したときに前記第２処理を実行する請求項１から５のいずれかに記載の遠隔操作システム。
【請求項７】
前記第２処理装置は、前記インターネットに接続可能な携帯電話通信網に接続する通信部を備えて当該携帯電話通信網および当該インターネットを介して前記第１処理装置に接続可能に構成されている請求項１から６のいずれかに記載の遠隔操作システム。
【請求項８】
請求項１から７のいずれかに記載の遠隔操作システムと、前記電子機器としての測定器および前記操作端末とを備え、前記操作端末による遠隔操作によって、前記測定器による測定処理、および当該測定処理の結果の当該測定器から当該操作端末への送信処理の少なくとも一方を実行可能に構成されている測定システム。
【請求項９】
外部装置からの制御データに応じて予め規定された処理を実行して当該予め規定された処理に関連する応答データを当該外部装置に出力可能な電子機器を、インターネットに接続された任意のリソースにアクセス可能な当該外部装置としての操作端末によって当該インターネットを介して遠隔操作可能とするために、
前記インターネットに接続された第１処理装置と、
前記電子機器にローカル接続されると共に前記インターネットを介して前記第１処理装置にアクセス可能に設置された第２処理装置とを備え、
前記第２処理装置が、前記インターネットを介して前記第１処理装置からの送信データを常時受信可能とする第１通信路を確立する第１処理と、
前記第１処理装置が、前記インターネットを介して当該第１処理装置にアクセスされた前記操作端末から当該操作端末による前記電子機器の遠隔操作の開始を指示されたときに、前記第２処理装置を介しての前記電子機器および当該第１処理装置の間の双方向通信が可能な第２通信路の確立を当該第２処理装置に対して前記第１通信路を介して指示する第２処理と、
前記第２処理装置が、前記第１処理装置からの指示に従って前記第２通信路を確立する第３処理と、
前記第１処理装置が、前記第２通信路を介しての前記電子機器へのアクセスが可能なアドレスデータを生成して当該アドレスデータを前記操作端末に前記インターネットを介して送信する第４処理とを実行して当該電子機器および当該操作端末の間におけるエンドツーエンド通信を許容し、
前記操作端末が前記アドレスデータのアドレスにアクセスして送信した前記制御データを前記第１処理装置および前記第２処理装置が前記電子機器に中継すると共に、当該電子機器が送信した前記応答データを当該第１処理装置および当該第２処理装置が前記操作端末に中継することによって当該操作端末によって当該電子機器を遠隔操作させる遠隔操作システムにおける当該第２処理装置に対して、前記第１処理と、前記第３処理と、前記制御データおよび前記応答データの中継処理とを実行させる遠隔操作システム用プログラム。
【発明の詳細な説明】
【技術分野】
【０００１】
本発明は、操作端末によってインターネットを介して電子機器を遠隔操作する技術に関するものである。
【背景技術】
【０００２】
例えば測定器の分野においては、測定器からネットワークを介してコンピュータ等（以下、「処理端末」ともいう）に測定データを転送してデータ解析処理などの各種の処理を処理端末において行うことが広く行われている。このような処理を行うには、例えば処理端末を操作して測定器にアクセスして測定データの送信等を指示する必要がある。
【０００３】
この場合、測定器や処理端末などのネットワーク接続機器に対して付与されるＩＰアドレスを固定する運用形態を除き、一般的には、ネットワーク接続機器がネットワークに接続する都度、付与されるＩＰアドレスが相違するアドレスになる可能性がある。したがって、測定器および処理端末の間でネットワークを介して各種のデータを送受信させる場合には、処理端末を操作するオペレータが測定器に付与されているＩＰアドレスを特定して処理端末から測定器にアクセスしたり、測定器を操作するオペレータが処理端末に付与されているＩＰアドレスを特定して測定器から処理端末にアクセスしたりする必要がある。
【０００４】
一方、下記の特許文献には、上記のようにアドレスを特定する作業を不要とする発明が開示されている。具体的には、この特許文献に開示の発明に係る測定器では、ＳＭＴＰによる電子メール送信機能、および自身に対して付与されているＩＰアドレスを電子メールによって予め設定されたメールアドレス宛に自動送信するＩＰアドレス通知機能を備えている。これにより、送信された電子メールに基づいて処理端末のオペレータが測定器のＩＰアドレスを特定することが可能となる。したがって、処理端末を測定器に接続する際に、測定器（または、処理端末）に付与されているＩＰアドレスを事前に特定する必要がなくなるため、ネットワーク接続機器の取り扱いに不慣れな者であっても、処理端末から測定器に対して容易にアクセスすることができる。
【先行技術文献】
【特許文献】
【０００５】
【特許文献１】特開２００１−１６０８１１号公報（第２−３頁、第１−２図）
【発明の概要】
【発明が解決しようとする課題】
【０００６】
ところが、上記の特許文献に開示の発明には、以下のような解決すべき問題点が存在する。具体的には、上記の特許文献に開示の発明では、測定器に対して付与されているＩＰアドレスを電子メールによって任意のメールアドレス宛に送信することで処理端末から測定器にアクセスするのに必要な情報を伝達する構成が採用されている。
【０００７】
この場合、上記のような構成では、電子メールに記載されているＩＰアドレスの文字列をコピーして測定器接続用のアプリケーションやインターネットブラウザのアドレス欄にペーストする作業が必要となる。このため、測定器にアクセスする作業が依然として煩雑となっている。また、今日では、情報漏洩等のセキュリティ上の観点から、特定の場所において電子メールの使用が制限されることがある。かかる場所に設置された処理端末によって測定器にアクセスして測定データを取得するには、測定器から送信された電子メールを、電子メールの使用が制限されていない場所で受信して測定器のＩＰアドレスを紙片に書き写し、その紙片を処理端末の設置場所に持ち込んで測定器のＩＰアドレスを入力する必要がある。このため、このような環境下では、処理端末から測定器にアクセスする作業が非常に煩雑となっている。
【０００８】
また、処理端末の利用者が複数存在する場合には、各人が受信可能な共用のメールアドレスを用意する必要がある。さらに、電子メールによってＩＰアドレス情報を送信した場合、その電子メールが利用者以外の者によって不正に受信されて測定器に対する不正アクセスが行われる可能性もある。加えて、この種の測定器では、処理端末等への各種送受信を実行させずに単独で使用することも可能に構成されており、そのような使用形態で使用する者にとっては不必要な機能（電子メール送信機能およびＩＰアドレス通知機能）の存在により、測定器の製造コストが高騰しているという問題点もある。
【０００９】
本発明は、かかる解決すべき問題に鑑みてなされたものであり、煩雑な作業を不要としつつ、不正アクセスが行われる事態を回避すると共に、製造コストの低減を図り得る遠隔操作システム、測定システムおよび遠隔操作システム用プログラムを提供することを主目的とする。
【課題を解決するための手段】
【００１０】
上記目的を達成すべく、請求項１記載の遠隔操作システムは、外部装置からの制御データに応じて予め規定された処理を実行して当該予め規定された処理に関連する応答データを当該外部装置に出力可能な電子機器を、インターネットに接続された任意のリソースにアクセス可能な当該外部装置としての操作端末によって当該インターネットを介して遠隔操作可能とする遠隔操作システムであって、前記インターネットに接続された第１処理装置と、前記電子機器にローカル接続されると共に前記インターネットを介して前記第１処理装置にアクセス可能に設置された第２処理装置とを備え、前記第２処理装置が、前記インターネットを介して前記第１処理装置からの送信データを常時受信可能とする第１通信路を確立する第１処理を実行し、前記第１処理装置が、前記電子機器と前記操作端末との間のエンドツーエンド通信を行うための第２通信路の確立を前記第１通信路を介して前記第２処理装置に指示する第２処理を実行することによって当該操作端末による当該電子機器の前記インターネットを介しての遠隔操作を可能とする。
【００１１】
請求項２記載の遠隔操作システムは、請求項１記載の遠隔操作システムにおいて、前記第１処理装置が、前記インターネットを介して当該第１処理装置にアクセスされた前記操作端末から当該操作端末による前記電子機器の遠隔操作の開始を指示されたときに前記第２処理を実行し、前記第２処理装置が、前記第１処理装置からの前記第２処理による指示に従い、当該第２処理装置を介しての前記電子機器および当該第１処理装置の間の双方向通信が可能な第２通信路を確立する第３処理を実行し、前記第１処理装置が、前記第３処理によって確立された前記第２通信路を介しての前記電子機器へのアクセスが可能なアドレスデータを生成して当該アドレスデータを前記操作端末に前記インターネットを介して送信する第４処理を実行して当該電子機器および当該操作端末の間における前記エンドツーエンド通信を許容し、前記操作端末が前記アドレスデータのアドレスにアクセスして送信した前記制御データを前記第１処理装置および前記第２処理装置が前記電子機器に中継すると共に、当該電子機器が送信した前記応答データを当該第１処理装置および当該第２処理装置が前記操作端末に中継することによって当該操作端末によって当該電子機器を遠隔操作させる。
【００１２】
請求項３記載の遠隔操作システムは、請求項２記載の遠隔操作システムにおいて、前記第２処理装置は、前記第３処理において、暗号化通信が可能な前記第２通信路を確立する。
【００１３】
請求項４記載の遠隔操作システムは、請求項１から３のいずれかに記載の遠隔操作システムにおいて、前記第１処理装置は、前記インターネットを介しての前記操作端末との間の通信時に暗号化通信を実行する。
【００１４】
請求項５記載の遠隔操作システムは、請求項１から４のいずれかに記載の遠隔操作システムにおいて、前記第１処理装置は、前記電子機器の遠隔操作を行っている前記操作端末から遠隔操作の終了を指示する前記制御データが送信されたときに前記第２通信路の閉鎖を前記第２処理装置に対して前記第１通信路を介して指示する第５処理を実行し、前記第２処理装置は、前記第１処理装置からの指示に従って前記第２通信路を閉鎖する第６処理を実行する。
【００１５】
請求項６記載の遠隔操作システムは、請求項１から５のいずれかに記載の遠隔操作システムにおいて、前記第１処理装置は、前記インターネットを介して当該第１処理装置に前記操作端末がアクセスしたときに認証処理を実行し、前記電子機器へのアクセスを許容可能であると判別したときに前記第２処理を実行する。
【００１６】
請求項７記載の遠隔操作システムは、請求項１から６のいずれかに記載の遠隔操作システムにおいて、前記第２処理装置は、前記インターネットに接続可能な携帯電話通信網に接続する通信部を備えて当該携帯電話通信網および当該インターネットを介して前記第１処理装置に接続可能に構成されている。
【００１７】
請求項８記載の測定システムは、請求項１から７のいずれかに記載の遠隔操作システムと、前記電子機器としての測定器および前記操作端末とを備え、前記操作端末による遠隔操作によって、前記測定器による測定処理、および当該測定処理の結果の当該測定器から当該操作端末への送信処理の少なくとも一方を実行可能に構成されている。
【００１８】
請求項９記載の遠隔操作システム用プログラムは、外部装置からの制御データに応じて予め規定された処理を実行して当該予め規定された処理に関連する応答データを当該外部装置に出力可能な電子機器を、インターネットに接続された任意のリソースにアクセス可能な当該外部装置としての操作端末によって当該インターネットを介して遠隔操作可能とするために、前記インターネットに接続された第１処理装置と、前記電子機器にローカル接続されると共に前記インターネットを介して前記第１処理装置にアクセス可能に設置された第２処理装置とを備え、前記第２処理装置が、前記インターネットを介して前記第１処理装置からの送信データを常時受信可能とする第１通信路を確立する第１処理と、前記第１処理装置が、前記インターネットを介して当該第１処理装置にアクセスされた前記操作端末から当該操作端末による前記電子機器の遠隔操作の開始を指示されたときに、前記第２処理装置を介しての前記電子機器および当該第１処理装置の間の双方向通信が可能な第２通信路の確立を当該第２処理装置に対して前記第１通信路を介して指示する第２処理と、前記第２処理装置が、前記第１処理装置からの指示に従って前記第２通信路を確立する第３処理と、前記第１処理装置が、前記第２通信路を介しての前記電子機器へのアクセスが可能なアドレスデータを生成して当該アドレスデータを前記操作端末に前記インターネットを介して送信する第４処理とを実行して当該電子機器および当該操作端末の間におけるエンドツーエンド通信を許容し、前記操作端末が前記アドレスデータのアドレスにアクセスして送信した前記制御データを前記第１処理装置および前記第２処理装置が前記電子機器に中継すると共に、当該電子機器が送信した前記応答データを当該第１処理装置および当該第２処理装置が前記操作端末に中継することによって当該操作端末によって当該電子機器を遠隔操作させる遠隔操作システムにおける当該第２処理装置に対して、前記第１処理と、前記第３処理と、前記制御データおよび前記応答データの中継処理とを実行させる。
【発明の効果】
【００１９】
請求項１記載の遠隔操作システムでは、第２処理装置がインターネットを介して第１処理装置からの送信データを常時受信可能とする第１通信路を確立する第１処理を実行し、第１処理装置が電子機器と操作端末との間のエンドツーエンド通信を行うための第２通信路の確立を第１通信路を介して第２処理装置に指示する第２処理を実行することによって操作端末による電子機器のインターネットを介しての遠隔操作を可能とする。具体的には、例えば請求項２記載の遠隔操作システムでは、第１処理装置がインターネットを介して第１処理装置にアクセスされた操作端末から操作端末による電子機器の遠隔操作の開始を指示されたときに第２処理を実行し、第２処理装置が第１処理装置からの第２処理による指示に従い、第２処理装置を介しての電子機器および第１処理装置の間の双方向通信が可能な第２通信路を確立する第３処理を実行し、第１処理装置が第２通信路を介しての電子機器へのアクセスが可能なアドレスデータを生成して操作端末にインターネットを介して送信する第４処理を実行して電子機器および操作端末の間におけるエンドツーエンド通信を許容し、操作端末がアドレスデータのアドレスにアクセスして送信した制御データを第１処理装置および第２処理装置が電子機器に中継すると共に、電子機器が送信した応答データを第１処理装置および第２処理装置が操作端末に中継することによって操作端末によって電子機器を遠隔操作させる。また、請求項８記載の測定システムでは、上記の遠隔操作システムと電子機器としての測定器および操作端末とを備え、操作端末による遠隔操作によって、測定器による測定処理、および測定処理の結果の測定器から操作端末への送信処理の少なくとも一方を実行可能に構成されている。
【００２０】
したがって、請求項１，２記載の遠隔操作システム、および請求項８記載の測定システムによれば、前述の特許文献に開示の発明と同様にして電子機器（測定器）のＩＰアドレスの固定や電子機器（測定器）のＩＰアドレスの特定等が不要であるだけでなく、第２処理装置によって確立される第２通信路を介して電子機器（測定器）および操作端末の間の制御データや応答データの送受信が確実に中継されるため、操作端末などによってインターネットを介して電子機器（測定器）を確実に遠隔操作することができる。また、電子機器（測定器）に電子メール送信機能やＩＰアドレス通知機能を搭載する必要がないことから、電子機器（測定器）の製造コストを十分に低減することができる。さらに、電子機器（測定器）に付与されているＩＰアドレスを電子メール等で報知することがないため、電子機器（測定器）のＩＰアドレスが漏洩して不正にアクセスされる事態を好適に回避することができる。
【００２１】
また、請求項３記載の遠隔操作システム、およびそのような遠隔操作システムを備えた測定システムによれば、第２処理装置が、第３処理において、暗号化通信が可能な第２通信路を確立することにより、正規な利用者以外の者が、電子機器（測定器）の動作状態を認識したり、電子機器（測定器）に対して不正にアクセスしてこれを遠隔操作したりする事態を一層好適に回避することができる。
【００２２】
さらに、請求項４記載の遠隔操作システム、およびそのような遠隔操作システムを備えた測定システムによれば、第１処理装置が、インターネットを介しての操作端末との間の通信時に暗号化通信を実行することにより、正規な利用者以外の者が、電子機器（測定器）の動作状態を認識したり、電子機器（測定器）に対して不正にアクセスしてこれを遠隔操作したりする事態を好適に回避することができる。
【００２３】
また、請求項５記載の遠隔操作システム、およびそのような遠隔操作システムを備えた測定システムによれば、第１処理装置が、電子機器（測定器）の遠隔操作を行っている操作端末から遠隔操作の終了を指示する制御データが送信されたときに第２通信路の閉鎖を第２処理装置に対して第１通信路を介して指示する第５処理を実行し、第２処理装置が、第１処理装置からの指示に従って第２通信路を閉鎖する第６処理を実行することにより、遠隔操作の終了後も第２通信路が確立された状態が維持されたときには、第２通信路を利用して電子機器（測定器）に対する不正なアクセスが行われる可能性があるのに対し、不必要となった時点で第２通信路が閉鎖されることで、そのような不正アクセスを好適に回避することができる。
【００２４】
さらに、請求項６記載の遠隔操作システム、およびそのような遠隔操作システムを備えた測定システムによれば、第１処理装置が、インターネットを介して第１処理装置に操作端末がアクセスしたときに認証処理を実行し、電子機器（測定器）へのアクセスを許容可能であると判別したときに第２処理を実行することにより、正規の利用者以外の者が測定システムを使用すること自体が確実に阻止される結果、正規な利用者以外の者が、電子機器（測定器）の動作状態を認識したり、電子機器（測定器）に対して不正にアクセスしてこれを遠隔操作したりする事態を一層好適に回避することができる。
【００２５】
また、請求項７記載の遠隔操作システム、およびそのような遠隔操作システムを備えた測定システムによれば、インターネットに接続可能な携帯電話通信網に接続する通信部を備えて携帯電話通信網およびインターネットを介して第１処理装置に接続可能に第２処理装置を構成したことにより、インターネットに接続可能なローカルエリアネットワークが構築されていない場合や、インターネットに接続可能な既存のローカルエリアネットワークの使用が許容されない場合においても、遠隔操作システムおよび測定システムを容易に使用することができる。
【００２６】
また、請求項９記載の遠隔操作システム用プログラムによれば、遠隔操作システムにおける第２処理装置に対して、第１処理と、第３処理と、制御データおよび応答データの中継処理とを実行させることにより、遠隔操作システム用プログラムの実行が可能な既存の機器を利用して遠隔操作システム用プログラムをインストールし、これを第２処理装置として動作させることができるため、遠隔操作システムおよび測定システムの導入コストを低減することが可能となる。
【図面の簡単な説明】
【００２７】
【図１】測定システム１００の構成を示す構成図である。
【図２】測定器１の構成を示す構成図である。
【図３】操作端末２の構成を示す構成図である。
【図４】中継器３ｂの構成を示す構成図である。
【発明を実施するための形態】
【００２８】
以下、遠隔操作システム、測定システムおよび遠隔操作システム用プログラムの実施の形態について、添付図面を参照して説明する。
【００２９】
図１に示す測定システム１００は、「測定システム」の一例であって、複数の測定器１ａ，１ｂ・・１ｎ、操作端末２および遠隔操作システム３を備えて構成されている。
【００３０】
測定器１ａ，１ｂ・・１ｎ（以下、区別しないときには「測定器１」ともいう）は、「電子機器」としての「測定器」の一例であって、図示しない測定対象についての各種の測定処理を実行可能に構成されると共に、後述するように、操作端末２等の「外部装置」から送信される制御データＤｃに応じて予め規定された処理を実行して応答データＤｒを「外部装置」に送信することが可能に構成されている。なお、複数台の測定器１を備えて構成した測定システム１００の例について説明するが、「電子機器（測定器）」の数については、１台でもよい。この測定器１は、図２に示すように、測定部１１、通信部１２、操作部１３、表示部１４、処理部１５および記憶部１６を備えている。
【００３１】
測定部１１は、後述するように、処理部１５の制御に従って測定処理を実行して測定値Ｄｓを出力する。通信部１２は、一例として、有線ＬＡＮ通信モジュールで構成され、処理部１５の制御に従って各種のネットワーク接続機器に対して有線ＬＡＮケーブルを介して接続して各種のデータを送受信する。なお、有線ＬＡＮ通信モジュールに代えて（または、有線ＬＡＮ通信モジュールに加えて）、無線ＬＡＮ通信モジュールや、ブルートゥース（登録商標）規格に準ずる無線通信モジュールなどを備えて通信部１２を構成することもできる。操作部１３は、測定器１の動作条件を設定したり、測定部１１による測定処理を開始／停止させたりするための操作スイッチを備え、スイッチ操作に応じた操作信号を処理部１５に出力する。表示部１４は、処理部１５の制御に従い、測定器１の動作状態や、測定部１１による測定処理の結果などを表示する。
【００３２】
処理部１５は、測定器１を総括的に制御する。具体的には、処理部１５は、測定部１１を制御して測定処理を実行させると共に、測定部１１から出力される測定値Ｄｓに基づいて測定結果データＤｓ１を生成して記憶部１６に記憶させる。この場合、処理部１５は、操作部１３の操作に応じて測定部１１を制御して測定処理を実行させる制御処理だけでなく、後述するように、外部装置からの制御データＤｃに従って測定部１１を制御して測定処理を実行させる制御処理を実行することができるように構成されている。また、処理部１５は、外部装置からの制御データＤｃに応じて記憶部１６から測定結果データＤｓ１を読み出して通信部１２から送信する処理を実行する。記憶部１６は、処理部１５の動作プログラムや演算結果、および上記の測定値Ｄｓや測定結果データＤｓ１などを記憶する。
【００３３】
操作端末２は、「インターネットに接続された任意のリソース（各種情報処理システムや情報処理端末など）にアクセス可能な外部装置としての操作端末」に相当し、一例として、パーソナルコンピュータ、タブレット端末およびスマートフォンなどの既存の携帯型情報処理端末で構成されている。この操作端末２は、図３に示すように、通信部２１，２２、操作部２３、表示部２４、処理部２５および記憶部２６を備えている。
【００３４】
通信部２１は、一例として、無線ＬＡＮ通信モジュールで構成され、処理部２５の制御に従って各種のネットワーク接続機器に対して無線ＬＡＮ接続して各種のデータを送受信する。なお、無線ＬＡＮ通信モジュールに代えて（または、無線ＬＡＮ通信モジュールに加えて）、有線ＬＡＮ通信モジュールや、ブルートゥース（登録商標）規格に準ずる無線通信モジュールを備えて通信部２１を構成することもできる。通信部２２は、一例として、３Ｇ、４ＧおよびＬＴＥなどのモバイル通信規格に従って通信可能な無線通信モジュールで構成され、処理部２５の制御に従って携帯電話通信網５４ａを介して各種のデータを送受信する。
【００３５】
操作部２３は、一例として、タッチパネルを備えて構成され、後述するように測定器１に対するアクセスの操作や、測定器１からの測定結果データＤｓ１の受信およびその解析の手順の指示などを実行可能に構成されている。なお、本例の操作端末２は、外部機器としてのキーボードやマウス等の外部入力機器を接続してこれを使用することができるように構成されているが、これらの外部入力機器を使用した操作についての図示および説明を省略する。表示部２４は、処理部２５の制御に従って各種の表示画面を表示する。
【００３６】
処理部２５は、操作端末２を総括的に制御する。具体的には、処理部２５は、操作端末２にインストールされている各種のアプリケーションソフトを実行する。この場合、本例では、後述するように、操作端末２にインストールされているインターネットブラウザ（以下、単に「ブラウザ」ともいう）を使用して測定器１にアクセスして測定結果データＤｓ１などを取得する例について説明する。記憶部２６は、上記のブラウザを含む各種のアプリケーションソフトのプラグラムや、後述するように測定器１から送信された測定結果データＤｓ１などを記憶する。
【００３７】
なお、本例では、図１に示すように、一例として、操作端末２の使用場所にブロードバンドルータ２ａによってＬＡＮ５２が構築されており、このＬＡＮ５２（ブロードバンドルータ２ａ）を介して操作端末２がインターネット５１に接続することが可能な状態となっている。
【００３８】
一方、遠隔操作システム３は、「遠隔操作システム」の一例であって、中継サーバ３ａおよび中継器３ｂを備えて構成されている。
【００３９】
中継サーバ３ａは、「インターネットに接続された第１処理装置」の一例であって、各測定器１と、操作端末２などの操作端末との間の通信を中継する機能を有している。具体的には、中継サーバ３ａは、測定システム１００（遠隔操作システム３）の管理者が管理可能に設置されてインターネット５１に常時接続されたサーバであって、後述するように操作端末２等から測定器１にアクセスする際に操作端末２等が接続する専用のＵＲＬが用意されると共に、そのＵＲＬに接続された機器（操作端末２等）と測定器１との接続および各データの送受信を中継器３ｂと相まって管理する。
【００４０】
中継器３ｂは、「電子機器にローカル接続されると共にインターネットを介して第１処理装置にアクセス可能に設置された第２処理装置」の一例であって、本例の遠隔操作システム３では、一例として、プログラムデータＤｐ（「遠隔操作システム用プログラム」の一例）がインストールされたモバイルルータで構成されている。この中継器３ｂは、図４に示すように、通信部３１，３２、操作部３３、表示部３４、処理部３５および記憶部３６を備えている。
【００４１】
通信部３１は、一例として、測定器１の通信部１２と同様に有線ＬＡＮ通信モジュールで構成され、処理部３５の制御に従って各種のネットワーク接続機器に対して有線ＬＡＮケーブルを介して接続して各種のデータを送受信する。なお、有線ＬＡＮ通信モジュールに代えて（または、有線ＬＡＮ通信モジュールに加えて）、無線ＬＡＮ通信モジュールや、ブルートゥース（登録商標）規格に準ずる無線通信モジュールを備えて通信部３１を構成することもできる。
【００４２】
通信部３２は、「インターネットに接続可能な携帯電話通信網に接続する通信部」の一例であって、操作端末２の通信部２２と同様に、３Ｇ、４ＧおよびＬＴＥなどのモバイル通信規格に従って通信可能な無線通信モジュールで構成され、処理部３５の制御に従って携帯電話通信網５４ｂを介して各種のデータを送受信する。なお、本例では、操作端末２の通信部２２が接続する携帯電話通信網５４ａと、中継器３ｂの通信部３２が接続する携帯電話通信網５４ｂとが相違する例を挙げて説明するが、両通信部２２，３２を同一の「携帯電話通信網」に接続させて運用することもできる。以下、携帯電話通信網５４ａ，５４ｂを区別しないときには「携帯電話通信網５４」ともいう。
【００４３】
操作部３３は、中継器３ｂの動作条件を設定するための操作スイッチを備え、スイッチ操作に応じた操作信号を処理部３５に出力する。表示部３４は、処理部３５の制御下で中継器３ｂの動作状態などを表示する。
【００４４】
処理部３５は、中継器３ｂを総括的に制御する。具体的には、処理部３５は、プログラムデータＤｐに従って通信部２１を制御して各測定器１との間で各種のデータを送受信させると共に、通信部３２を制御して携帯電話通信網５４ｂおよびインターネット５１を介して各種の外部装置との間で各種のデータを送受信させる。この場合、本例の遠隔操作システム３では、処理部３５がＤＨＣＰサーバとして機能して各測定器１に対してローカルＩＰアドレスを付与することにより、この中継器３ｂを中心とするＬＡＮ５３を構築することが可能に構成されている。なお、処理部３５による中継器３ｂの各部の制御については、後に詳細に説明する。
【００４５】
記憶部３６は、プログラムデータＤｐや、処理部３５の演算結果などを記憶する。この場合、本例の遠隔操作システム３では、一例として、プログラムデータＤｐがインストールされた状態（処理部３５によって実行可能にプログラムデータＤｐが記憶部３６に記憶させられた状態）で測定器１の製造者や販売者によって中継器３ｂが提供されるものとする。
【００４６】
次に、測定システム１００（遠隔操作システム３）の運用形態の一例について説明する。なお、操作端末２や中継器３ｂによる携帯電話通信網５４の使用準備（携帯電話通信網５４を使用するための契約手続きや、携帯電話通信網５４に接続するために必要なｓｉｍカードの装着など）は既に完了しているものとする。また、ブロードバンドルータ２ａのインターネット５１への接続、およびブロードバンドルータ２ａへの操作端末２の接続準備（操作端末２がブロードバンドルータ２ａを介してインターネット５１に接続するための設定作業）も既に完了しているものとする。さらに、中継サーバ３ａの設置（サーバにおいて動作させるプログラムのインストールや、インターネット５１への接続など）も既に完了しているものとする。
【００４７】
まず、中継サーバ３ａに対して、利用者の認証情報や、使用機器（測定器１および中継器３ｂ等）の識別情報を登録する。この登録作業については、中継サーバ３ａ自体を直接操作して行うこともできるが、一般的には、上記の操作端末２や、操作端末２以外の各種情報処理端末（図示せず）を利用してインターネット５１を介して中継サーバ３ａの専用アドレス（初期情報設定用のＵＲＬ）にアクセスして作業することとなる。
【００４８】
具体的には、利用者の認証情報の登録に関しては、一例として、利用者個人、または、利用者の属する組織に対して個別的に付与するユーザＩＤおよびパスワードを「中継サーバ３ａへのアクセスを許容する者」の一覧に追加する作業を実施する。この際には、後述するように各測定器１に対する接続を希望する際にアクセスする専用のＵＲＬ（以下、「接続開始時ＵＲＬ」ともいう）が発行される。なお、この際に発行されるＵＲＬは、後に説明するように操作端末２などが中継サーバ３ａにアクセスして通信する際に暗号化通信を行うことを考慮して、ＳＳＬ等を利用した通信（ＨＴＴＰＳ通信）を前提とするＵＲＬが発行される。また、この利用者の登録作業に関しては、利用者自らが実施することもできるが、セキュリティの観点から、一例として、測定システム１００（遠隔操作システム３）の管理者が実施する。
【００４９】
一方、使用機器の識別情報の登録に関しては、一例として、測定システム１００に参加させる各測定器１や中継器３ｂの型式番号、各測定器１における通信部１２のＭＡＣアドレス、中継器３ｂの識別番号（シリアルナンバー）、および利用者が各測定器１や中継器３ｂを容易に識別するための任意の呼称に加え、いずれの測定器１をいずれの中継器３ｂに接続するかを特定可能な情報を相互に関連付けて登録する作業を実施する。この際には、登録された使用機器の識別情報が、上記のユーザＩＤに関連付けられて中継サーバ３ａに記録される。この使用機器の登録作業に関しては、測定システム１００（遠隔操作システム３）の管理者が実施することもできるが、管理者の負担軽減のために、一例として、上記の登録作業によって中継サーバ３ａへのアクセスを許容された利用者自らが実施する。
【００５０】
次いで、一例として、測定現場（測定器１の設置場所）において、上記のように使用機器として登録した各測定器１（通信部１２）と中継器３ｂ（通信部３１）とを有線ＬＡＮケーブルで相互に接続する。次いで、各測定器１および中継器３ｂの電源を投入する。
【００５１】
この際に、中継器３ｂの処理部３５は、プログラムデータＤｐに従い、インターネット５１および携帯電話通信網５４ｂを介して中継サーバ３ａからの送信データを常時受信可能とする通信路を確立する（「第１通信路」を確立する「第１処理」の一例）。この際に、処理部３５は、ＭＱＴＴ（Message Queue Telemetry Transport ）通信、ソケット通信およびウェブソケット通信などに準ずる通信が可能な通信路を中継サーバ３ａとの間に確立する。これにより、後述するように中継サーバ３ａから送信される各種のデータを中継器３ｂによって常時受信することが可能な状態となり、測定システム１００を使用した測定処理を開始する準備が整う。
【００５２】
一方、各測定器１による測定処理、およびその測定結果の取得に際しては、一例として、操作端末２を操作して中継サーバ３ａにアクセスする。具体的には、まず、操作端末２の操作部２３を操作してブラウザを起動させる。次いで、ブラウザのアドレス欄に前述の接続開始時ＵＲＬ（暗号化通信を行うＵＲＬ）を入力してアクセスする。この際に、操作端末２がブロードバンドルータ２ａに接続している状態では、通信部２１、ブロードバンドルータ２ａおよびインターネット５１を介して中継サーバ３ａにアクセスし、操作端末２がブロードバンドルータ２ａに接続していない状態では、通信部２２、携帯電話通信網５４ａおよびインターネット５１を介して中継サーバ３ａにアクセスすることとなる。
【００５３】
一方、中継サーバ３ａは、まず、接続開始時ＵＲＬに対してアクセスした端末（本例では、操作端末２）にユーザー認証画面を表示させてユーザＩＤおよびパスワードの入力を要求する。これに応じて、利用者は、操作端末２の表示部２４に表示されている認証画面にユーザＩＤおよびパスワードを入力して送信する。この際に、操作端末２と中継サーバ３ａとの間の通信がＳＳＬ等による暗号化通信のため、送信したユーザＩＤおよびパスワード（認証方法）が漏洩する事態が好適に回避される。
【００５４】
また、中継サーバ３ａは、送信された認証情報と一致する認証情報が登録されているか否かを判別する（「認証処理」の一例）。この際に、一致する認証情報が登録されていないときに、中継サーバ３ａは、一例として「ＩＤ／パスワードが一致しません。初めてご利用の場合には、利用者登録をお願いします。」とのエラーメッセージの画面情報を操作端末２に送信して表示させる。これにより、必要に応じて、正しいユーザＩＤおよびパスワードの再入力、または、前述の利用者登録が行われる。
【００５５】
一方、一致する認証情報が登録されているときに、中継サーバ３ａは、測定システム１００の使用を許容すべき利用者のアクセスが行われたと判別し（「電子機器へのアクセスを許容可能であると判別したとき」の一例）、その認証情報に関連付けられて登録されている測定器１の識別情報の有無を判別する。この際に、識別情報が登録されている測定器１が複数存在するときに、中継サーバ３ａは、一例として、「いずれの電子機器に対するアクセスをご希望ですか？」とのメッセージと共に、登録されている測定器１の一覧を表示する画面情報を操作端末２に送信し、操作端末２との通信を中継すべき測定器１を利用者に選択させる。
【００５６】
また、識別情報が登録されている測定器１が１つだけのとき、または、複数の測定器１のなかから利用者によって任意の１つが選択されたときに、中継サーバ３ａは、操作端末２による測定器１の遠隔操作の開始を指示されたと判別し、登録されている使用機器の識別情報に基づき、対象の測定器１が接続されている中継器３ｂを特定する。次いで、中継サーバ３ａは、特定した中継器３ｂによって前述したように確立されている「第１通信路」を介して、「利用者が接続を希望している測定器１と中継サーバ３ａとの間の双方向通信が可能な通信路」の確立を指示する制御データＤ０を中継器３ｂに送信する（「第２通信路」の確立を指示する「第２処理」の一例）。
【００５７】
これに応じて、中継器３ｂでは、処理部３５が、プログラムデータＤｐに従い、「第１通信路」を介して中継サーバ３ａから送信された制御データＤ０の測定器１が通信部３１に接続されているか否かを判別し、接続されているときには、その測定器１と中継サーバ３ａとの間の通信を行うための「第２の通信路」を確立する（「第３処理」の一例）。この際に、処理部３５は、一例として、測定器１と通信部３１との間についてはＨＴＴＰ通信で、通信部３２と中継サーバ３ａとの間（本例では、携帯電話通信網５４ｂおよびインターネット５１）についてはＨＴＴＰＳ通信を行う通信路を「第２の通信路」として確立する。
【００５８】
一方、中継サーバ３ａは、中継器３ｂによって上記の「第２の通信路」が確立されたときに、その「第２通信路」を介しての測定器１へのアクセスが可能なＵＲＬ（以下、「遠隔操作時ＵＲＬ」ともいう）のアドレスデータＤａを生成し、生成したアドレスデータＤａと共に、遠隔操作時ＵＲＬを表示させる画面情報を操作端末２に送信する（「第４処理」の一例）。これに応じて、操作端末２では、表示部２４に、一例として「○○測定器の遠隔操作を行う場合には、https://○○○にアクセスして下さい。」とのメッセージが表示される。これにより、中継器３ｂに接続されている測定器１と操作端末２との間におけるエンドツーエンド通信が可能な状態となる。
【００５９】
なお、中継サーバ３ａから操作端末２へのアドレスデータＤａ等の送信は暗号化通信となっているため、遠隔操作時ＵＲＬの漏洩が好適に回避される。また、上記のメッセージにおける「https://○○○」の文字列は、遠隔操作時ＵＲＬに対するアクセスを指示するショートカットとなっている。したがって、測定器１の遠隔操作を希望する場合には、操作端末２の表示部２４（ブラウザ）内のショートカットを選択することで遠隔操作時ＵＲＬに対するアクセスを開始する。
【００６０】
この際に、操作端末２がブロードバンドルータ２ａおよびインターネット５１を介して中継サーバ３ａに接続しているときには、ブロードバンドルータ２ａ、インターネット５１、中継サーバ３ａおよび「第２の通信路（インターネット５１、携帯電話通信網５４ｂおよび中継サーバ３ａを経由する通信路）」を経由して操作端末２が任意の測定器１に接続される。また、操作端末２が携帯電話通信網５４ａおよびインターネット５１を介して中継サーバ３ａに接続しているときには、携帯電話通信網５４ａ、インターネット５１、中継サーバ３ａおよび「第２の通信路」を経由して操作端末２が任意の測定器１に接続される。以下、上記のような測定器１および操作端末２の間の通信路を「遠隔操作時通信路」ともいう。
【００６１】
これに応じて、測定器１では、操作端末２などの外部機器がアクセスした際にその機器に表示させるように規定されている遠隔操作用画面の画面情報を、遠隔操作時通信路を介して操作端末２に送信する。これにより、操作端末２の表示部２４に遠隔操作用画面が表示され、操作端末２による測定器１へのアクセスが完了する。この場合、遠隔操作用画面には、測定処理の条件を設定する設定画面を表示させる指示、設定された条件での測定処理の開始／停止の指示、および測定処理の結果を示す測定結果データの送信の指示などの各種の指示を行う疑似操作ボタンが表示される（図示せず）。
【００６２】
したがって、測定処理の条件の設定を所望するときには、操作端末２の操作部２３を操作して、設定画面を表示させる疑似操作ボタンを選択する。この際には、設定画面の表示を指示する制御データＤｃ（そのような疑似操作ボタンの操作が行われた旨を示すデータ：「制御データ」の一例）が遠隔操作時通信路を介して操作端末２から測定器１に送信される。
【００６３】
また、測定器１では、上記の制御データＤｃを受信したときに、処理部１５が、設定画面の画面情報を応答データＤｒ（「応答データ」の一例）として遠隔操作時通信路を介して操作端末２に送信する。この際には、応答データＤｒが遠隔操作システム３（中継サーバ３ａおよび中継器３ｂ）によって中継されて、測定器１から操作端末２に遠隔操作時通信路を介して送信される。これにより、操作端末２の表示部２４に設定画面（図示せず）が表示される。この後、表示部２４に表示される設定画面を参照しつつ、任意の設定条件を指定する都度、操作端末２から測定器１に遠隔操作時通信路を介して測定条件の変更を指示する制御データＤｃが送信され、測定器１から操作端末２に遠隔操作時通信路を介して変更後の条件を反映した設定画面の画面情報が応答データＤｒとして送信される（操作端末２による測定器１の「遠隔操作」の一例）。
【００６４】
また、測定処理の条件の設定が完了し、遠隔操作用画面が操作端末２の表示部２４に表示された状態において、測定器１による測定処理を開始させるときには、操作端末２の操作部２３を操作することにより、測定処理を開始させる疑似操作ボタンを選択する。この際には、測定処理の開始を指示する制御データＤｃ（そのような疑似操作ボタンの操作が行われた旨を示すデータ：「制御データ」の他の一例）が遠隔操作システム３（中継サーバ３ａおよび中継器３ｂ）によって中継されて遠隔操作時通信路を介して操作端末２から測定器１に送信される。
【００６５】
また、測定器１では、上記の制御データＤｃを受信したときに、処理部１５が、測定処理の開始の指示を受諾した旨を示す応答データＤｒ（「応答データ」の他の一例）を遠隔操作時通信路を介して操作端末２に送信する。この際には、応答データＤｒが遠隔操作システム３（中継サーバ３ａおよび中継器３ｂ）によって中継されて、測定器１から操作端末２に遠隔操作時通信路を介して送信される。これにより、操作端末２の表示部２４に測定処理中である旨を示すメッセージ（図示せず）が表示される。また、処理部１５は、測定部１１を制御して測定処理を開始させる。これに応じて測定部１１が測定値Ｄｓを順次出力し、処理部１５が出力された測定値Ｄｓを記憶部１６に順次記憶させる（操作端末２による測定器１の「遠隔操作」の他の一例）。
【００６６】
一方、所望する時間に亘って測定処理が行われたときは、操作端末２の操作部２３を操作することにより、測定処理を停止させる疑似操作ボタンを選択する。この際には、測定処理の停止を指示する制御データＤｃ（そのような疑似操作ボタンの操作が行われた旨を示すデータ：「制御データ」のさらに他の一例）が遠隔操作システム３（中継サーバ３ａおよび中継器３ｂ）によって中継されて遠隔操作時通信路を介して操作端末２から測定器１に送信される。
【００６７】
また、測定器１では、上記の制御データＤｃを受信したときに、処理部１５が、測定処理の停止の指示を受諾した旨を示す応答データＤｒ（「応答データ」のさらに他の一例）を遠隔操作時通信路を介して操作端末２に送信する。この際には、応答データＤｒが遠隔操作システム３（中継サーバ３ａおよび中継器３ｂ）によって中継されて、測定器１から操作端末２に遠隔操作時通信路を介して送信される。これにより、操作端末２の表示部２４に測定処理を停止した旨を示すメッセージ（図示せず）が表示される。また、処理部１５は、測定部１１を制御して測定処理を停止させると共に、記憶部１６に記憶されている各測定値Ｄｓに基づいて測定結果データＤｓ１を生成する。以上により、測定処理が完了する（操作端末２による測定器１の「遠隔操作」のさらに他の一例）。
【００６８】
さらに、測定器１から操作端末２に測定値Ｄｓ１を送信させるとき（操作端末２によって測定器１から測定値Ｄｓをダウンロードするとき）には、操作端末２の操作部２３を操作することにより、測定結果データＤｓ１の送信を指示する疑似操作ボタンを選択する。この際には、測定処理の開始を指示する制御データＤｃ（そのような疑似操作ボタンの操作が行われた旨を示すデータ：「制御データ」のさらに他の一例）が遠隔操作システム３（中継サーバ３ａおよび中継器３ｂ）によって中継されて遠隔操作時通信路を介して操作端末２から測定器１に送信される。
【００６９】
また、測定器１では、上記の制御データＤｃを受信したときに、処理部１５が、各測定値Ｄｓに基づいて生成して記憶部１６に記憶させた測定結果データＤｓ１を読み出して応答データＤｒ（「応答データ」の他の一例）として遠隔操作時通信路を介して操作端末２に送信する。この際には、応答データＤｒが遠隔操作システム３（中継サーバ３ａおよび中継器３ｂ）によって中継されて、測定器１から操作端末２に遠隔操作時通信路を介して送信される。これに応じて、操作端末２では、処理部２５が、遠隔操作時通信路を介して送信された測定結果データＤｓ１を記憶部２６に記憶させる。以上により、測定結果データＤｓ１の取得が完了する（操作端末２による測定器１の「遠隔操作」のさらに他の一例）。
【００７０】
一方、操作端末２による測定器１の遠隔操作を終了させるときには、一例として、操作端末２の表示部２４に表示されている遠隔操作用画面（ブラウザ）を閉じる。この際には、操作端末２から中継サーバ３ａに遠隔操作用画面（ブラウザ）を閉じたことを報知するデータ（「遠隔操作の終了を指示する制御データ」の一例）が送信される。なお、遠隔操作用画面（ブラウザ）を閉じる操作に代えて、遠隔操作用画面内に「遠隔操作の終了」を指示する疑似操作ボタンを設け、そのような疑似操作ボタンの選択によって遠隔操作の終了を指示することもできる。
【００７１】
この際に、中継サーバ３ａは、「遠隔操作の終了を指示する制御データ」が操作端末２から送信されたと判別し（「電子機器の遠隔操作を行っている操作端末から遠隔操作の終了を指示する制御データが送信されたとき」の一例）、前述した「第３処理」によって確立した「第２通信路」の閉鎖を指示する制御データＤ１を「第１通信路」を介して中継器３ｂに送信する（「第５処理」の一例）。これに応じて、中継器３ｂでは、処理部３５が、プログラムデータＤｐに従って「第２通信路」を閉鎖する（「第６処理」の一例）。以上により、操作端末２による測定器１の遠隔操作が完了する。
【００７２】
この際には、「第１通信路」が閉鎖されることなく確立されままとなり、中継サーバ３ａから送信される各種のデータを中継器３ｂによって常時受信することが可能な状態が維持される。したがって、中継器３ｂに接続されている各測定器１のいずれか（上記の測定器１と同じ測定器１、または、上記の測定器１とは異なる測定器１）の遠隔操作を所望するときには、上記の一連の処理と同様の手順で任意の測定器１の遠隔操作を行うことができる。
【００７３】
このように、この遠隔操作システム３では、中継器３ｂがインターネット５１を介して中継サーバ３ａからの送信データを常時受信可能とする「第１通信路」を確立する「第１処理」を実行し、中継サーバ３ａが測定器１と操作端末２との間のエンドツーエンド通信を行うための「第２通信路」の確立を「第１通信路」を介して中継器３ｂに指示する「第２処理」を実行することによって操作端末２による測定器１のインターネット５１を介しての遠隔操作を可能とする。
【００７４】
具体的には、例えば、中継サーバ３ａがインターネット５１を介して中継サーバ３ａにアクセスされた操作端末２から操作端末２による測定器１の遠隔操作の開始を指示されたときに「第２処理」を実行し、中継器３ｂが中継サーバ３ａからの「第２処理」による指示に従い、中継器３ｂを介しての測定器１および中継サーバ３ａの間の双方向通信が可能な「第２通信路」を確立する「第３処理」を実行し、中継サーバ３ａが「第２通信路」を介しての測定器１へのアクセスが可能なアドレスデータＤａを生成して操作端末２にインターネット５１を介して送信する「第４処理」を実行して測定器１および操作端末２の間におけるエンドツーエンド通信を許容し、操作端末２がアドレスデータＤａのアドレスにアクセスして送信した制御データＤｃを中継サーバ３ａおよび中継器３ｂが測定器１に中継すると共に、測定器１が送信した応答データＤｒを中継サーバ３ａおよび中継器３ｂが操作端末２に中継することによって操作端末２によって測定器１を遠隔操作させる。また、この測定システム１００では、測定器１、操作端末２および遠隔操作システム３を備え、操作端末２による遠隔操作によって、測定器１による測定処理、および測定器１から操作端末２への測定結果データＤｓ１の送信処理の少なくとも一方を実行可能に構成されている。
【００７５】
したがって、この遠隔操作システム３および測定システム１００によれば、前述の特許文献に開示の発明と同様にして測定器１のＩＰアドレスの固定や測定器１のＩＰアドレスの特定等が不要であるだけでなく、中継器３ｂによって確立される「第２通信路」を介して測定器１および操作端末２の間の制御データＤｃや応答データＤｒの送受信が確実に中継されるため、操作端末２などによってインターネット５１を介して測定器１を確実に遠隔操作することができる。また、測定器１に電子メール送信機能やＩＰアドレス通知機能を搭載する必要がないことから、測定器１の製造コストを十分に低減することができる。さらに、測定器１に付与されているＩＰアドレスを電子メール等で報知することがないため、測定器１のＩＰアドレスが漏洩して不正にアクセスされる事態を好適に回避することができる。
【００７６】
また、この遠隔操作システム３および測定システム１００によれば、中継器３ｂが、「第３処理」において、暗号化通信が可能な「第２通信路」を確立することにより、正規な利用者以外の者が、測定器１の動作状態を認識したり、測定器１に対して不正にアクセスしてこれを遠隔操作したりする事態を一層好適に回避することができる。
【００７７】
さらに、この遠隔操作システム３および測定システム１００によれば、中継サーバ３ａが、インターネット５１を介しての操作端末２との間の通信時に暗号化通信を実行することにより、正規な利用者以外の者が、測定器１の動作状態を認識したり、測定器１に対して不正にアクセスしてこれを遠隔操作したりする事態を好適に回避することができる。
【００７８】
また、この遠隔操作システム３および測定システム１００によれば、中継サーバ３ａが、測定器１の遠隔操作を行っている操作端末２から遠隔操作の終了を指示する制御データＤｃが送信されたときに「第２通信路」の閉鎖を中継器３ｂに対して「第１通信路」を介して指示する「第５処理」を実行し、中継器３ｂが、中継サーバ３ａからの指示に従って「第２通信路」を閉鎖する「第６処理」を実行することにより、遠隔操作の終了後も「第２通信路」が確立された状態が維持されたときには、「第２通信路」を利用して測定器１に対する不正なアクセスが行われる可能性があるのに対し、不必要となった時点で「第２通信路」が閉鎖されることで、そのような不正アクセスを好適に回避することができる。
【００７９】
さらに、この遠隔操作システム３および測定システム１００によれば、中継サーバ３ａが、インターネット５１を介して中継サーバ３ａに操作端末２がアクセスしたときに認証処理を実行し、測定器１へのアクセスを許容可能であると判別したときに「第２処理」を実行することにより、正規の利用者以外の者が測定システム１００を使用すること自体が確実に阻止される結果、正規な利用者以外の者が、測定器１の動作状態を認識したり、測定器１に対して不正にアクセスしてこれを遠隔操作したりする事態を一層好適に回避することができる。
【００８０】
また、この遠隔操作システム３および遠隔操作システム３を備えた測定システム１００によれば、インターネット５１に接続可能な携帯電話通信網５４ｂに接続する通信部３２を備えて携帯電話通信網５４ｂおよびインターネット５１を介して中継サーバ３ａに接続可能に中継器３ｂを構成したことにより、インターネット５１に接続可能なローカルエリアネットワークが構築されていない場合や、インターネット５１に接続可能な既存のローカルエリアネットワークの使用が許容されない場合においても、遠隔操作システム３および測定システム１００を容易に使用することができる。
【００８１】
また、このプログラムデータＤｐによれば、遠隔操作システム３における中継器３ｂに対して、「第１処理」と、「第３処理」と、制御データＤｃおよび応答データＤｒの中継処理とを実行させることにより、プログラムデータＤｐの実行が可能な既存の機器を利用してプログラムデータＤｐをインストールし、これを「第２処理装置」として動作させることができるため、遠隔操作システム３および測定システム１００の導入コストを低減することが可能となる。
【００８２】
なお、「遠隔操作システム」および「測定システム」の構成や、「遠隔操作システム用プログラム」による処理手順は、上記の遠隔操作システム３および測定システム１００の構成の例や、プログラムデータＤｐによる処理手順の例に限定されない。
【００８３】
例えば、中継器３ｂが「第１処理」として、中継サーバ３ａとの間にＭＱＴＴ通信等に準ずる通信路を確立する処理を実行する例について説明したが、このような構成および方法に代えて、中継器３ｂから中継サーバ３ａに対してＨＴＴＰ（ＨＴＴＰＳ）通信で定期的に何らかのデータを送信したり、中継器３ｂが中継サーバ３ａからＨＴＴＰ（ＨＴＴＰＳ）通信で定期的に何らかのデータを受信したりすることで「インターネットを介して第１処理装置からの送信データを常時受信可能とする第１通信路」を確立して維持する構成および方法を採用することもできる。
【００８４】
また、モバイルルータで構成した中継器３ｂを「第２処理装置」として備えた遠隔操作システム３の構成を例に挙げて説明したが、「第２処理装置」の構成は、これに限定されず、インターネット５１に接続するための通信モジュールと、測定器１を接続可能な通信モジュールとを備えた汎用の情報処理端末（パーソナルコンピュータ、タブレット端末およびスマートフォンなど）にプログラムデータＤｐをインストして「第２処理装置」として動作させてもよい。この場合、「第２処理装置」が「インターネット」に接続するための構成としては、中継器３ｂにおける通信部３２のような「携帯電話通信網」を介しての接続を行う構成に限定されず、「インターネット」に対して直接、またはブロードバンドルータ等を介して間接的に接続可能な構成を採用することもできる。
【００８５】
さらに、「電子機器」の一例である測定器１を遠隔操作するための構成を例に挙げて説明したが、「測定器」以外の各種の「電子機器」を遠隔操作する構成を採用することができる。具体的には、例えば、プリンタ、Ｗｅｂカメラおよびパーソナルコンピュータなどの汎用機器、工場設備やセキュリティ設備の管理を行う管理装置、並びに、生産設備等の制御装置などを「電子機器」として「操作端末」から「インターネット」を介して遠隔操作する構成を採用することもできる。
【００８６】
また、測定処理の設定、測定処理の開始／停止、および測定結果データＤｓ１の送信等の各処理を測定器１に実行させる「遠隔操作」の例を説明したが、「予め規定された処理」は上記の処理の例に限定されず、「電子機器（測定器）」において実行可能な各種の処理を遠隔操作によって実行させることができる。
【符号の説明】
【００８７】
１００  測定システム
１，１ａ〜１ｎ  測定器
２  操作端末
２ａ  ブロードバンドルータ
３  遠隔操作システム
３ａ  中継サーバ
３ｂ  中継器
１１  測定部
１２，２１，２２，３１，３２  通信部
１３，２３，３３  操作部
１４，２４，３４  表示部
１５，２５，３５  処理部
１６，２６．３６  記憶部
５１  インターネット
５２，５３  ＬＡＮ
５４ａ，５４ｂ  携帯電話通信網
Ｄ０，Ｄ１，Ｄｃ  制御データ
Ｄａ  アドレスデータ
Ｄｐ  プログラムデータ
Ｄｒ  応答データ
Ｄｓ  測定値
Ｄｓ１  測定結果データ
【図１】
2019062495.tif 000003
【図２】
2019062495.tif 000004
【図３】
2019062495.tif 000005
【図４】
2019062495.tif 000006